(57)【要約】【課題】携帯電話等の端末で撮影した静止画や動画を簡単な操作で画像処理サーバにアップロード可能にし、これらを基に閲覧用アルバムを含むホームページを容易に作成し、この閲覧用アルバムの気に入った画像に対して人気投票を行い、一定順位内の画像だけを残すようにするなど、特定グループ内で撮影した画像を共有して閲覧するなどして楽しむこと【解決手段】通信回線を介して複数の端末と接続される画像処理サーバであって、前記画像処理サーバは、前記端末から受信した画像を含む少なくとも一つの画像群を記憶する画像記憶手段と、前記端末から受信した前記画像のうち特定画像群中の特定画像に関連付けられた投票情報を集計し記憶する投票情報記憶手段と、前記投票情報の集計結果に基づいて、前記端末又は前記画像処理サーバに接続可能なその他の端末に表示させるための表示情報を生成する表示情報生成手段とを備えた。【選択図】　図１
2004070614.tif 000002
【特許請求の範囲】
【請求項１】
通信回線を介して複数の端末と接続される画像処理サーバであって、
前記画像処理サーバは、
前記端末から受信した画像を含む少なくとも一つの画像群を記憶する画像記憶手段と、
前記端末から受信した前記画像のうち特定画像群中の特定画像に関連付けられた投票情報を集計し記憶する投票情報記憶手段と、
前記投票情報の集計結果に基づいて、前記端末又は前記画像処理サーバに接続可能なその他の端末に表示させるための表示情報を生成する表示情報生成手段と、
を備えることを特徴とする画像処理サーバ。
【請求項２】
前記表示情報は、投票数の多い順に前記画像を表示するための情報を含むことを特徴とする請求項１記載の画像処理サーバ。
【請求項３】
前記表示情報は、投票数の多い順に前記画像縮小した縮小画像を表示するための情報を含むことを特徴とする請求項１又は請求項２記載の画像処理サーバ。
【請求項４】
前記表示情報は、投票数の多い順に前記画像を一定時間間隔で順次表示するための情報を含むことを特徴とする請求項１記載の画像処理サーバ。
【請求項５】
前記特定画像群中の画像の数を所定枚数以下に制限するための記憶枚数制限手段と、前記端末から受信した編集情報に基づいて前記画像に関連するコメントを加除すると共に特定画像を前記特定画像群から加除する編集手段と、
を更に備えることを特徴とする請求項１乃至請求項３のいずれかに記載の画像処理サーバ。
【請求項６】
前記端末より前記画像群の画像を参照するための参照箇所特定情報を含むメッセージを生成するメッセージ生成手段を更に備えることを特徴とする請求項１乃至請求項５のいずれかに記載の画像処理サーバ。
【請求項７】
前記参照箇所特定情報はＵＲＬ及び／又はＩＰアドレスであり、前記メッセージは電子メール及び／又はメッセージングであることを特徴とする請求項６記載の画像処理サーバ。
【請求項８】
前記表示情報を生成するためのテンプレートを記憶するテンプレート記憶手段を更に備え、前期編集手段は、前記テンプレート記憶手段に記憶された特定のテンプレートを選択することを特徴とする請求項５乃至請求項７のいずれかに記載の画像処理サーバ。
【請求項９】
前期編集手段は、投票数の多い順に選ばれた前記所定数の画像群中の所望の画像を削除し、他の所望の画像を追加することを特徴とする請求項８記載の画像処理サーバ。
【請求項１０】
前記画像情報記憶手段から投票数の多い順に所定数の画像を選択して印刷するアルバム印刷手段を更に備えることを特徴とする請求項１乃至請求項８のいずれかに記載の画像処理サーバ。
【請求項１１】
通信回線を介して複数の端末と接続される画像処理サーバの制御方法であって、
前記制御方法は、
前記端末から受信した画像を含む少なくとも一つの画像群を記憶する画像記憶ステップと、
前記端末から受信した前記画像のうちの特定画像群中の特定画像に関連付けられた投票情報を集計し記憶する投票情報記憶ステップと、
前記投票情報の集計結果に基づいて、前記端末又は前記画像処理サーバに接続可能なその他の端末に表示させるための表示情報を生成する表示情報生成ステップと、
を備えることを特徴とする画像処理サーバの制御方法。
【請求項１２】
通信回線を介して複数の端末と接続される画像処理サーバの制御プログラムであって、
前記画像処理サーバを、
前記端末から受信した画像を含む少なくとも一つの画像群を記憶する画像記憶手段と、
前記端末から受信した前記画像のうちの特定画像群中の特定画像に関連付けられた投票情報を集計し記憶する投票情報記憶手段と、
前記投票情報の集計結果に基づいて、前記端末又は前記画像処理サーバに接続可能なその他の端末に表示させるための表示情報を生成する表示情報生成手段、として機能させることを特徴とする画像処理サーバの制御プログラム。
【発明の詳細な説明】
【０００１】
【発明の属する技術分野】
本発明は、画像処理サーバ及びその制御方法、プログラムに関するものである。
【０００２】
【従来の技術】
インターネット経由で携帯電話にメールを利用して画像（動画や静止画）を特定の相手先に送信する機能は知られている。この携帯電話にはカメラを内蔵したものもあり、このカメラで撮影した画像を特定の電話番号を指定してメールの添付ファイルとして送信する機能も提供されている。この内蔵カメラの解像度も急激に改善されつつある。
【０００３】
又、デジタルカメラの画像を公開アルバムサイトやプライベートアルバムに登録し、不特定の一般ユーザや特定の登録者が参照できるようにしたデジタルフォトの閲覧サイトも複数存在する。
【０００４】
【発明が解決しようとする課題】
従来技術によれば、携帯電話のメモリ容量には制約があるので多数の送信相手先を記憶するには困難がある。又１メッセージ当たりの送信可能なデータ容量にも制約がある。さらにデータ容量に応じたパケット料金を払う必要がある。
【０００５】
仮に携帯電話のメモリが現在の１０倍以上になったとしても、動画を送信した場合、メモリは直ぐ足りなくなるので、ストリーミングとして一度見てそのまま廃棄する必要がある。そこで携帯電話で友人等に画像を送信しても、その画像を後日第三者（例えば別の友人）に見せたりすることはできなかった。この問題は動画の場合に特に顕著だった。
【０００６】
又、携帯電話で撮影した画像をデジタルフォトサイトにアップロードしようとした場合、画面の狭さや操作ボタンが少ない等の理由から、携帯電話から画像を登録する場合でも、登録した画像を閲覧する場合でも煩雑な操作を強いられるという問題があった。
【０００７】
さらに、特定グループに属する複数の人が各々画像を登録して複数の人がこれらの画像を閲覧するような場合、操作はより煩雑なものとなる。画像アルバムの作成やアルバムへの画像のアップロードや画像登録の通知等はパソコンから操作した場合でも相当複雑な操作を強いられることになり、このような場合に操作に制約のある携帯電話を用いることは考え難いことと言えた。
【０００８】
本発明は、上記の各問題点に鑑みてなされたものであり、画像処理サーバに閲覧用アルバムを含むホームページ（以下ＨＰ）を容易に作成し、アルバムの作成をメンバーに通知し、携帯電話等の端末で撮影した静止画や動画を簡単な操作でこのサーバにアップロードできる画像処理サーバ、及びその制御方法、そのプログラムの提供を目的とする。アップロードした静止画や動画を基にこの閲覧用アルバムの特定画像にコメントを追加したり、複数のメンバーが携帯電話等の端末からこれら特定画像のうちで気に入った画像に対して人気投票を行い、一定順位内の画像だけを残すようにするなど、特定グループ内で撮影した画像を共有して閲覧しあるいは気に入ったものを印刷し、あるいは画像の追加等を仲間に電子メールで通知するなどして楽しむことができる画像処理サーバ、及びその制御方法、そのプログラムの提供を目的とする。
【課題を解決するための手段】
上記の目的を達成するための本発明による画像処理サーバは以下の構成を備える。即ち、通信回線を介して複数の端末と接続される画像処理サーバであって、前記画像処理サーバは、
前記端末から受信した画像を含む少なくとも一つの画像群を記憶する画像記憶手段と、
前記端末から受信した前記画像のうち特定画像群中の特定画像に関連付けられた投票情報を集計し記憶する投票情報記憶手段と、
前記投票情報の集計結果に基づいて、前記端末又は前記画像処理サーバに接続可能なその他の端末に表示させるための表示情報を生成する表示情報生成手段と、を備える
また、好ましくは、前記画像処理サーバは、前記特定画像群中の画像の数を所定枚数以下に制限するための記憶枚数制限手段と、前記端末から受信した編集情報に基づいて前記画像に関連するコメントを加除すると共に特定画像を前記特定画像群から加除する編集手段を更に備える。
【０００９】
また、好ましくは、前記画像処理サーバは、前記端末より前記画像群の画像を参照するための参照箇所特定情報を含むメッセージを生成するメッセージ生成手段を更に備える。
【００１０】
また、好ましくは、前記画像処理サーバは、前記表示情報を生成するためのテンプレートを記憶するテンプレート記憶手段を更に備え、前期編集手段は、前記テンプレート記憶手段に記憶された特定のテンプレートを選択する。
【００１１】
また、好ましくは、前記画像処理サーバは、前記画像情報記憶手段から投票数の多い順に所定数の画像を選択して印刷するアルバム印刷手段を更に備える。
【００１２】
上記の目的を達成するための本発明による画像処理サーバの制御方法は以下の構成を備える。即ち、通信回線を介して複数の端末と接続される画像処理サーバの制御方法であって、
前記端末から受信した画像を含む少なくとも一つの画像群を記憶する画像記憶ステップと、
前記端末から受信した前記画像のうちの特定画像群中の特定画像に関連付けられた投票情報を集計し記憶する投票情報記憶ステップと、
前記投票情報の集計結果に基づいて、前記端末又は前記画像処理サーバに接続可能なその他の端末に表示させるための表示情報を生成する表示情報生成ステップ、とを備えることを特徴とする。
【００１３】
上記の目的を達成するための本発明による画像処理サーバの制御プログラムは以下の構成を備える。即ち、前記画像処理サーバを、通信回線を介して複数の端末と接続される画像処理サーバであって、
前記端末から受信した画像を含む少なくとも一つの画像群を記憶する画像記憶手段と、
前記端末から受信した前記画像のうちの特定画像群中の特定画像に関連付けられた投票情報を集計し記憶する投票情報記憶手段と、
前記投票情報の集計結果に基づいて、前記端末又は前記画像処理サーバに接続可能なその他の端末に表示させるための表示情報を生成する表示情報生成手段、として機能させることを特徴とする。
【００１４】
【発明の実施の形態】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【００１５】
以下の各図面では、説明の簡単のために、画面遷移用の押ボタン等は省略されている場合がある。まず、図１は本発明の実施の形態におけるシステム構成を示す図である。
【００１６】
画像処理サーバ１００と携帯端末Ａ１１０と携帯端末Ｂ１２０と印刷装置１３０は互いに通信回線１５０を介して接続されている。サーバ１００はいわゆるＰＣサーバやＵｎｉｘ（登録商標）サーバであり、大容量のハードディスクを内蔵した高性能（例えば６４ビットのＰＣＩバスと高速のＳＣＳＩディスク、高クロックのデュアルＣＰＵ等を備えた）パソコンでも良い。
携帯端末Ａ１１０及び携帯端末Ｂ１２０は携帯電話やＰＤＡ等であり、携帯端末Ａ１１０はアルバムの作成や、動画像及び静止画像の登録や、これらの参照に用いられる。携帯端末Ｂ１２０も同様にアルバムの作成や、動画像及び静止画像の登録や、動画像及び静止画像の検索に用いる。実際には接続される端末はこれらに限られるものではなく、グループのメンバーの複数の端末が常時接続であるいは一時的に画像処理サーバ１００に接続される。携帯端末Ａ１１０や携帯端末Ｂ１２０はある時点で接続されている端末を説明用に特定したものに過ぎない。
【００１７】
印刷装置１３０は典型的にはカラーのレーザビームプリンタやインクジェットプリンタであり、その他種類を問わずカラープリンタであれば良く、カラーデジタル印刷機でも良い。パソコン１４０もアルバムの作成や動画像及び静止画像の登録や動画像及び静止画像の検索に用いる。
通信回線１５０は、インターネットやイントラネット、専用デジタル回線、電灯線利用のＡＤＳＬ回線、衛星回線、ケーブルテレビ回線、データ放送用無線回線等のいずれか、またはこれらの組み合わせにより実現されるいわゆる通信ネットワークであり、およそデータの送受信が可能であれば良く、クライアント１１０から画像処理サーバ１００への通信手段と画像処理サーバ１００から印刷装置１３０への通信手段が異なっていても良い。
【００１８】
図２は本発明の実施の形態における画像処理サーバ１００のハードウェア構成を示す図である。
【００１９】
図２においてＣＰＵ２１、ＲＡＭ２２、ＲＯＭ２３、ＬＡＮアダプタ２４、ビデオアダプタ２５、キーボード２６、マウス２７、ハードディスク２８、ＣＤ−ＲＯＭドライブ２９はそれぞれシステムバス２０を介して互いに接続されている。システムバス２０は例えばＰＣＩバス、ＡＧＰバス、メモリバス等を意味する。又図２では、各バス間の接続用チップやキーボードインタフェースやいわゆるＳＣＳＩやＡＴＡＰＩのような入出力用インタフェースは省略されている。
【００２０】
ＣＰＵ２１はオペレーションシステムのプログラムやアプリケーションプログラムに基づいて四則演算や比較演算等の各種の演算や、ハードウェアの制御を行う。ＲＡＭ２２には、ハードディスク２８やＣＤ−ＲＯＭドライブ２９に装着されたＣＤ−ＲＯＭやＣＤ−Ｒ等の記憶媒体から読み出されたオペレーションシステムのプログラムやアプリケーションプログラム等が記憶され、これらはＣＰＵ２１の制御の元に実行される。
【００２１】
ＲＯＭ２３にはオペレーションシステムと協働してハードディスク等への入出力を司るいわゆるＢＩＯＳ等が記憶される。ＬＡＮアダプタ２４は、ＣＰＵによって制御されるオペレーションシステムの通信プログラムと協働してネットワークを介した外部との通信を行う。ビデオアダプタ２５はディスプレイ装置に出力する画像信号を生成し、キーボード２６やマウス２７は画像処理サーバへの指示を入力するために用いられる。
【００２２】
ハードディスク２８はオペレーションシステムやアプリケーションプログラムや携帯端末Ａ１１０から受信した動画データや静止画データ、コンテスト時の投票データや認証情報を含むユーザデータ、ユーザのグループデータ、アプリケーションプログラム実行時に用いられる一時ファイルやアプリケーションプログラム等の各種データを記憶している。
【００２３】
ＣＤ−ＲＯＭドライブ２９はＣＤ−ＲＯＭやＣＤ−ＲやＣＤ−Ｒ／Ｗ等の記憶媒体を装着してアプリケーションプログラムをハードディスク２８にインストールするのに用いる。なおＣＤ−ＲＯＭドライブの代わりにＣＤ−ＲドライブやＣＤ−Ｒ／ＷドライブやＤＶＤ−ＲＡＭドライブ、ＤＶＤ−ＲＷドライブ、ＭＯドライブ等を用いても良いのは言うまでもない。
【００２４】
図３は、本発明の実施の形態における携帯端末Ａ１１０及び携帯端末Ｂ１２０のハードウェア構成を示す図である。携帯端末Ａ１１０及び携帯端末Ｂ１２０及びパソコン１４０にはいわゆるブラウザプログラムがインストールされている。図２のＣＰＵ２１は図３ではＣＰＵ３１に対応し、図２のＲＯＭ２３は図３ではＲＯＭ３３に対応するのでこれらについての説明は省略する。ＳＲＡＭ３２は不揮発性のメモリであり、操作キー３４はテンキーや選択キー及び記号キーである。液晶表示部３５はＴＦＴ等の液晶表示パネルのことである。
【００２５】
次に、図４は本発明の実施の形態における静止画像登録と静止画像の参照処理を示すフローチャートである。
【００２６】
図４のフローチャートの開始時点で、携帯端末Ａ１１０がｉモードで画像処理サーバ１００と接続済みであるものとする。又、ＳＲＡＭ３２には画像処理サーバ１００に送信するための静止画像が既に記憶されているものとする。
図４のフローチャートにおいて、ステップＳ４０１乃至ステップＳ４０４は、携帯端末Ａ１１０のＣＰＵ３１の制御の下で実行され、ステップＳ４１１乃至ステップＳ４１４は、携帯端末Ｂ１２０のＣＰＵ３１の制御の下で実行される。又ステップＳ４２１乃至ステップＳ４３１は、画像処理サーバ１００のＣＰＵ２１の制御の下で実行される。但しステップＳ４１１乃至ステップＳ４１２が実行される携帯端末Ｂ１２０とステップＳ４１３乃至ステップＳ４１４実行される携帯端末Ｂ１２０は異なる筐体なので、フローチャート上では区別するために＜携帯端末Ｂ１＞、＜携帯端末Ｂ２＞のように表記する。
【００２７】
まず、ステップＳ４０１では、携帯端末Ａ１１０から画像処理サーバ１００に認証情報が送信される。認証情報は例えば携帯端末Ａ１１０が携帯電話であり、電話番号通知がオンになっていればパスワードの入力で足りる。ステップＳ４２１では、画像処理サーバ１００が検知した電話番号と受信したパスワードで認証処理を行い、携帯端末Ａ１１０に図６に示すような各種メニューを表示するための情報を送信し、携帯端末Ａ１１０の液晶表示部３５に図６の画面が表示される。
【００２８】
次に、ステップＳ４０２では、携帯端末Ａ１１０から画像処理サーバ１００にメニュー選択情報が送信される。具体的には図６の画面で「５」の数字キーが押下されると、「▲５▼　アルバムを作る」が選択される。ステップＳ４２２では、画像処理サーバ１００がメニュー選択情報を受信し、ステップＳ４２３では、受信したメニュー選択情報に基づいて携帯端末Ａ１１０にアルバム作成画面を表示するための表示情報を生成し、生成した表示情報を携帯端末Ａ１１０に送信する。
【００２９】
ステップＳ４０３では、携帯端末Ａ１１０において、図７に示すようなアルバム作成画面が表示され、アルバム名が入力されメンバー名が選択された後「作成」ボタンが押下されると、処理はステップＳ４０４に進み、アルバム名やメンバー名を含むアルバム情報が画像処理サーバ１００に送信される。ステップＳ４２４では画像処理サーバ１００がアルバム情報を受信し、ステップＳ４２５でアルバムが生成されてハードディスク２８に保存される。
【００３０】
ステップＳ４２６ではアルバム情報に含まれる通知先電子メールアドレスに図８に示すように画像アップ用ＵＲＬや画像アップ用メールアドレスや画像参照用ＵＲＬが記されたアルバムの作成を通知するためのアルバム通知メールが、携帯端末Ｂ１２０に送信される。
【００３１】
ステップＳ４１１では携帯端末Ｂ１２０がアルバム通知メールを受信する。携帯端末Ｂ１２０の液晶表示部３５に表示される図８の画面で、画像アップ用メールアドレスが選択されると次にメール送信用の画面がされ、コメントと添付する画像ファイルが選択され、その後「送信」ボタンが選択されると、処理はステップＳ４１２に進み、画像登録メールが画像処理サーバ１００に送信される。この画像登録は、１台のみの携帯端末Ｂ１２０によって実行されるわけではなく、複数のメンバーの携帯端末より複数の画像が登録される。
【００３２】
ステップＳ４２７では、画像処理サーバ１００が画像登録メールを受信し、ステップＳ４２８では、受信した画像とコメントがハードディスク２８に保存される。この画像登録後にも画像登録通知メールが各メンバーに送信される。この画像登録通知メールは画像アクセス用のＵＲＬ及び共通コメント及び各個人宛に個別に入力可能な個別コメント（ディフォルト設定では設定せず）を一人又は複数の相手方に送信することができる。このＵＲＬはユーザが属する特定のグループだけに公開することもできるし、全ユーザに公開することもできる。
【００３３】
次に別の携帯端末Ｂ１２０がステップＳ４１１でアルバム通知メールを受信し、画像参照用ＵＲＬを選択すると、ステップＳ４１３でアルバム参照要求が画像処理サーバ１００に送信される。ステップＳ４２９では、画像処理サーバ１００がアルバム参照要求を受信し、ステップＳ４３０では、アルバム画面情報が送信され、ステップＳ４１３で携帯端末Ｂ１２０の液晶表示部３５に図１０に示すようなアルバム画面が表示される。
【００３４】
この画面では全部で１０枚のアルバム中の３枚目が表示されており、「▲１▼前へ」が選択されると２枚目の写真が表示され、「▲２▼次へ」が選択されると４枚目が表示される。「　　　枚目」欄に数字を入力し「表示」ボタンを押下すると直接その写真が表示される。▲４▼を選ぶと撮影者本人や他のユーザが入力したコメントを参照することができる。特定の画像について「登録」ボタンが押下されると、選択された画像とコメントが画像処理サーバ１００に送信され、受信した画像とコメントがハードディスク２８に保存される。
【００３５】
さらに「▲５▼アルバム情報」を選択すると、このアルバムについての情報や他のアルバムを選択する画面が表示される。「▲６▼注文プリント」や「▲７▼注文アルバム」を選択すると、プリントサービスにより個別写真やアルバム全体を印刷してもらうことができる。例えば、最寄のコンビニ等にある印刷装置１３０に印刷してもらうことも可能である。「▲８▼注文グッズ」を選択した場合は、この画像をＴシャツにプリントしてもらうなどのサービスを受けるための画面が表示される。「▲８▼コメント入力」を選択した場合は、この画像を参照しているユーザが自分のコメントを入力する画面が表示される。
【００３６】
なお、ステップＳ４１１の通知メールの表示画面で画像登録用ＵＲＬが選択された場合は、画像処理サーバ１００に画像登録画面の表示要求が送信され、画像処理サーバ１００から画面情報が携帯端末Ｂ１２０に送信され、携帯端末Ｂ１２０の液晶表示部３５に図９に示すような画像登録画面が表示され、携帯端末Ｂ１２０のＳＲＡＭ３２に記憶されている画像と、「▲１▼前へ」及び「▲２▼次へ」とコメントの入力欄及び「登録」ボタンが表示される。
【００３７】
以上で、図４の説明を終わる。本実施の形態によれば、携帯電話等の携帯端末で撮影した画像を簡単に画像処理サーバの自分専用のアルバムサイトに登録し、画像の登録を予め登録された他のユーザに簡単に電子メール等により通知することが可能で、この通知メールを受信した他のユーザも簡単に画像にアクセスすることができるので、特に特定グループで互いが撮影した画像を気軽に閲覧して楽しんだり、アルバムを印刷するなどのサービスを受けることができる。
【００３８】
次に、図５は本発明の実施の形態におけるフォトコンテストの投票処理を示すフローチャートである。図５のフローチャートの開始時点で、携帯端末Ａ１１０がｉモードで画像処理サーバ１００と接続済みでであるものとする。又、ＳＲＡＭ３２には画像処理サーバ１００に送信するための静止画像が既に記憶されているものとする
図５のフローチャートにおいて、ステップＳ５０１乃至ステップＳ５０５は、携帯端末Ａ１１０のＣＰＵ３１の制御の下で実行される。又ステップＳ５２１乃至ステップＳ５３１は、画像処理サーバ１００のＣＰＵ２１の制御の下で実行される。
まず、ステップＳ５０１乃至ステップＳ５０２とステップＳ５２１乃至ステップＳ５２２は、ステップＳ４０１乃至ステップＳ４０２とステップＳ４２１乃至ステップＳ４２２と殆ど同様（選択したメニュー情報が異なるだけ）なので説明を省略する。
【００３９】
ステップＳ５２３では、画像処理サーバ１００においてハードディスク２８に記憶されている投票情報ファイルから該当するフォトコンテストの投票情報が読み出され、携帯端末Ａ１１０の液晶表示部３５にランキング画面を表示するための表示情報が生成される。ステップＳ５２４ではこの表示情報が携帯端末Ａ１１０に送信され、ステップＳ５０３では、携帯端末Ａ１１０の液晶表示部３５に図９に示すようなランキング画面が表示される。ランキング画面では通常最初に第１位の写真が表示される。図９は写真を順次閲覧して第７位の写真が表示されている状態である。
【００４０】
図９の画面で、「▲１▼　前へ」が選択されると１枚前の第６位の写真が表示される。「▲２▼　次へ」が選択されると１枚後の第８位の写真が表示される。「▲３▼　この写真に投票」が選択されると、処理はステップＳ５０４に進み、投票情報が携帯端末Ａ１１０から画像処理サーバ１００に送信される。▲４▼〜▲７▼が選択された場合は図８と同じなので説明を省略する。
【００４１】
ステップＳ５２５では、画像処理サーバ１００が投票情報を受信する。ステップＳ５２６では受信した投票情報に基づいて投票情報ファイル中の当該写真の投票累計数が更新される（図９の例では投票累計数が５→６に更新される）。次いでステップＳ５２７では、投票情報ファイル中の他の写真の投票累計数との比較が行われ、順位に変更があれば（ステップＳ５２７でＹｅｓであれば）、処理はステップＳ５２８に進み投票情報中の順位情報が変更される。つまり、第６位の写真への投票数が６であれば、図９の写真も投票数６となって両者とも６位になる。
【００４２】
順位に変更がなければ（ステップＳ５２７でＮｏであれば）、処理は直ちにステップＳ５２９に進み、総投票件数が更新される。処理はステップＳ５３０に進み、
携帯端末Ａ１１０の液晶表示部３５にランキング画面を再表示するための表示情報が生成され、ステップＳ５３１でこの表示情報が携帯端末Ａ１１０に送信される。ステップＳ５０５では、携帯端末Ａ１１０の液晶表示部３５にランキング画面が再表示される。再表示では投票数と全投票数が１つづつ増えている。
【００４３】
以上で図４及び図５の説明をひとまず終わる。本実施の形態によれば、携帯端末からコンテスト対象の画像閲覧し、なお、本実施の形態では、携帯電話等の画面の小さい携帯端末を想定しているため、写真画像は一つづつ表示しているが、これに限られるものではなく、画面上に複数の画像を縮小表示（サムネイル表示）し、そのサムネイルに付された数字を選択することによってアルバム中の画像を表示させるように構成しても良い。この縮小画像がコンテストにおいては投票数の多い順（順位の高い順）に表示させても良い。
【００４４】
又、コンテスト時には、順位の高い順に所定の時間間隔で写真を順次携帯端末側に送信して、順次表示させても良い。このように構成することで、一々次の写真を表示させるために「▲２▼次へ」を選択する必要がなくなる。さらに、アルバム作成用のテンプレートを複数用意しておけば、画像をアップロードしてコメントを書き込むだけで変化のあるアルバムを容易に画像処理サーバ１００上で作成できる。
【００４５】
又、このアルバムの保管枚数を一定数に制限しても良い。これによって画像処理サーバ１００のハードディスク２８の必要量が際限なく増大する事態を防止できる。さらにアルバム中の特定画像を削除したり、コメントを追加できる編集プログラムを画像処理サーバ１００のハードディスク２８に記憶し、携帯端末側から操作できるようにしても良い、これによって不適切な写真を削除することができる。この枚数制限のあるアルバムを印刷する場合には、個人の好みの写真を所定枚数追加したり、差し換えたりできるようにしても良い。これによって枚数制限のあるグループ共有のアルバムであっても自分の好みを反映して印刷することが可能になる。
【００４６】
なお、本実施の形態では静止画の登録、通知メール、参照及びコンテストでの投票について説明したが、これに限らず動画の場合も同様に実施することが出来、静止画の代わりに動画を扱った場合も本発明の範囲内であることは言うまでもない。つまり動画を画像処理サーバに登録し、動画の参照ＵＲＬを電子メールやメッセ−ジングで通知し、動画を携帯端末から参照し、動画に対してコンテストで投票することは同様に実施できる。
【００４７】
なお、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。
【００４８】
この場合、記憶媒体から読み出されたプログラムコード自体が前述した実施形態の機能を実現することになり、そのプログラムコードを記憶した記憶媒体は本発明を構成することになる。
【００４９】
また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００５０】
さらに、記憶媒体から読み出されたプログラムコードが、コンピュータに挿入された機能拡張カードやコンピュータに接続された機能拡張ユニットに備わる記憶媒体に書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００５１】
又、本発明の目的は、前述した実施形態の機能を実現するソフトウェアのプログラムコードがネットワークを介して配信されることにより、システムあるいは装置のハードディスクやメモリ等の記憶手段又はＣＤ−ＲＷやＣＤ−Ｒ等の記憶媒体に格納され、そのシステムあるいは装置のコンピュータ（またはＣＰＵやＭＰＵ）が当該記憶手段や当該記憶媒体に格納されたプログラムコードを読み出し実行することによっても、達成されることは言うまでもない。
【００５２】
【発明の効果】
本発明によれば、以上の本願発明によれば、携帯電話等の携帯端末で撮影した画像を簡単に画像処理サーバの自分専用のアルバムサイトに登録し、画像の登録を予め登録された他のメンバーに簡単に電子メール等により通知することが可能で、この通知メールを受信した他のメンバーも簡単に画像にアクセスすることができるので、特に特定グループで互いが撮影した画像を気軽に登録して、各人がこれら複数のメンバーにより登録された画像を閲覧して楽しんだり、アルバムを印刷するなどのサービスを受けることができる。
【００５３】
また、携帯電話等の携帯端末で撮影した写真や動画を気軽に画像処理サーバにアップロードして仲間内でのコンテストや公開でのコンテストを楽しむこともできる。
【００５４】
さらに、本願発明によれば、投稿した写真をアルバムにして、一定時間間隔で投票数の多い順に表示させるなどして楽しむこともできる。
又、本願発明において、枚数制限のあるグループ共通のアルバムを印刷する場合には、個人の好みの写真を所定枚数追加したり、差し換えたりできるようにすることによって枚数制限のアルバムであっても自分の好みを反映して印刷することが可能になる。
【図面の簡単な説明】
【図１】本発明の実施形態における画像処理システムのシステム構成を示す図である。
【図２】本発明の実施形態における画像処理サーバ１００のハードウェア構成を示す図である。
【図３】本発明の実施形態における携帯端末Ａ１１０及び携帯端末Ｂ１２０のハードウェア構成を示す図である。
【図４】本発明の実施形態における画像の登録処理及び画像登録の通知処理及び画像の参照処理を示すフローチャートである。
【図５】本発明の実施形態におけるコンテストにおける投票処理を示すフローチャートである。
【図６】本発明の実施形態における携帯端末のメニュー一覧画面を示す図である。
【図７】本発明の実施形態におけるアルバム作成画面を示す図である。
【図８】本発明の実施形態におけるアルバム作成通知の電子メールの文面を示す図である。
【図９】本発明の実施形態における携帯端末の画像登録画面を示す図である。
【図１０】本発明の実施形態における携帯端末の画像参照画面を示す図である。
【図１１】本発明の実施形態における携帯端末のコンテスト投票画面を示す図である。
【符号の説明】
２０　　システムバス
２１　　ＣＰＵ
２２　　ＲＡＭ
２３　　　ＲＯＭ
２４　　　ＬＡＮアダプタ
２５　　　ビデオアダプタ
２６　　　キーボード
２７　　　マウス
２８　　　ハードディスク
２９　　ＣＤ−ＲＯＭドライブ
３０　　システムバス
３１　　ＣＰＵ
３２　　ＲＡＭ
３３　　ＲＯＭ
３４　　ＬＡＮアダプタ
３５　　ビデオアダプタ
３６　　キーボード
３７　　マウス
３８　　ハードディスク
３９　　ＣＤ−ＲＯＭドライブ
１００　サーバ
１１０　携帯端末Ａ
１２０　携帯端末Ｂ
１３０　印刷装置
１５０　通信回線
【図１】
2004070614.tif 000003
【図２】
2004070614.tif 000004
【図３】
2004070614.tif 000005
【図４】
2004070614.tif 000006
【図５】
2004070614.tif 000007
【図６】
2004070614.tif 000008
【図７】
2004070614.tif 000009
【図８】
2004070614.tif 000010
【図９】
2004070614.tif 000011
【図１０】
2004070614.tif 000012
【図１１】
2004070614.tif 000013